(57)【要約】【課題】冷房運転時の室内の温度むらを防止する。【解決手段】室内機に取り付けられ上下方向の風向を制御する上下風向板２１と、上下風向板を駆動させるルーバーモータ２２と、室内機内部に備えた熱交換器の温度を検知する熱交センサ１１と、少なくとも冷房自動運転モードを含む複数の運転モードの中から選択操作すると共に、各運転モードにおける風向や室温の設定を変更操作する操作部とを設け、空気調和機の冷房自動運転開始から第１所定時間後に操作部による設定室温の低下方向への変更操作がなされた場合で、且つ、室温Ｔ１−熱交温度Ｔ２＜＝所定温度差Ｔ３の時に、室内ファンの風量を増大すると共に上下風向板を第２所定時間スイング駆動する制御部を備えたものである。【選択図】図３
2015087029.tif 000002
【特許請求の範囲】
【請求項１】
室内の温度を室温センサにより検出し、検出された室温と設定された温度とに基づいて、室温を設定温度に近づけるために空気調和能力の制御運転を行う機能を有する空気調和機に於いて、室内機に取り付けられ上下方向の風向を制御する上下風向板と、前記上下風向板を駆動させるルーバーモータと、前記室内機内部に備えた熱交換器の温度を検知する熱交センサと、少なくとも冷房自動運転モードを含む複数の運転モードの中から選択操作すると共に、各運転モードにおける風向や室温の設定を変更操作する操作部とを設け、前記空気調和機の冷房自動運転開始から第１所定時間後に操作部による設定室温の低下方向への変更操作がなされた場合で、且つ、前記室温Ｔ１−熱交温度Ｔ２＜＝所定温度差Ｔ３の時に、室内ファンの風量を増大すると共に上下風向板を第２所定時間スイング駆動する制御部を備えたことを特徴とする空気調和機。
【請求項２】
前記第２所定時間終了から第３所定時間以内で、且つ設定室温の低下方向への変更操作が行われた場合には、室内ファンの風量を増大すると共に上下風向板を第４所定時間スイング駆動後に第５所定時間のスイング駆動停止を繰り返す動作を第６所定時間継続する制御部を備えたことを特徴とする請求項１記載の空気調和機。
【請求項３】
前記第３所定時間終了後に室温Ｔ１−熱交温度Ｔ２＜＝所定温度差Ｔ３の時には、再度室内ファンの風量を増大すると共に上下風向板を第２所定時間スイング駆動する制御部を備えたことを特徴とする請求項１記載の空気調和機。
【請求項４】
前記第６所定時間終了後、室温Ｔ１−熱交温度Ｔ２＞所定温度差Ｔ３の時には、冷房自動運転に戻り、室温Ｔ１−熱交温度Ｔ２＜＝所定温度差Ｔ３の時には、再度室内ファンの風量を増大すると共に上下風向板を第４所定時間スイング駆動し、その後第５所定時間のスイング駆動停止を第６所定時間継続する制御部を備えたことを特徴とする請求項３記載の空気調和機。
【発明の詳細な説明】
【技術分野】
【０００１】
この発明は、空気調和機の制御装置に関するものである。
【背景技術】
【０００２】
従来、空気調和機は設定された室温と現在の温度とが比較され、この比較結果に応じて、室温の調節がなされるようになっている。このため、室内は設定温度にほぼ維持され、快適な空間を保つことができる。また、風量や風向を自動又は手動で設定することができる。ここで、空気調和機の風向を手動設定して運転させた場合には、室内に吹き出す風向が常に一定であるため、特に微風や弱風で運転されているときに、室内機の周囲や部屋の隅に空気が滞ることがあった。これは、空気調和機を冷房モードで運転させた場合に顕著であることがわかっている。このように空気が特定の場所に滞ることにより、同じ室内でも温度差が生じ、温度むらが発生することがあった。この温度むらを運転安定後の室温の変化にによって検知し、温度むらが発生した時に室内ファンの回転数を上昇させ、送風量を大きくすることで室内の空気を撹拌して室内の温度むらを解消しようとする空気調和機が有った。（例えば、特許文献１参照）
【先行技術文献】
【特許文献】
【０００３】
【特許文献１】特開平３−１７５２３３号公報
【発明の概要】
【発明が解決しようとする課題】
【０００４】
この従来例の空気調和機は、室内機の自己判断のみで室内の温度むらの発生を判断し、室内ファンの風量の増大だけで室内の温度むらを解消することは難しく、より効果的に室温を管理する必要が有った。よってより正確に室内の温度むらを解消することのできる機能を有する空気調和機を提供することを目的とするものである。
【課題を解決するための手段】
【０００５】
この発明はこの点に着目し上記欠点を解決する為、特にその構成を、室内の温度を室温センサにより検出し、検出された室温と設定された温度とに基づいて、室温を設定温度に近づけるために空気調和能力の制御運転を行う機能を有する空気調和機に於いて、室内機に取り付けられ上下方向の風向を制御する上下風向板と、前記上下風向板を駆動させるルーバーモータと、前記室内機内部に備えた熱交換器の温度を検知する熱交センサと、少なくとも冷房自動運転モードを含む複数の運転モードの中から選択操作すると共に、各運転モードにおける風向や室温の設定を変更操作する操作部とを設け、前記空気調和機の冷房自動運転開始から第１所定時間後に操作部による設定室温の低下方向への変更操作がなされた場合で、且つ、前記室温Ｔ１−熱交温度Ｔ２＜＝所定温度差Ｔ３の時に、室内ファンの風量を増大すると共に上下風向板を第２所定時間スイング駆動する制御部を備えたものである。
【発明の効果】
【０００６】
この発明によれば、室内機の自己判断のみで室温の温度むらの発生を判断するものではなく、使用者のリモコン操作をきっかけに室内の温度むらを解消する制御を開始するので、より正確で高度に室内の温度むらを解消することができる。
また、使用者のリモコン操作をきっかけに室内ファン風量や上下風向板の作動を行うので、使用者に故障等の無用な心配をさせるようなことを防止できる。
【図面の簡単な説明】
【０００７】
【図１】この発明一実施例の室内機の断面図。
【図２】同概略説明図。
【図３】同要部のフローチャート図。
【発明を実施するための形態】
【０００８】
次に、この発明に係る空気調和機を図面に示された一実施例で説明する。
１はセパレート式空気調和機の室内ユニットで、本体ケーシング２と前方の前面カバー３によって筐体を形成し、前記前面カバー３の中央には横長スリット状の吸込口４を有するオープンパネル５を備え、このパネル５上部左右に設けた軸（図示せず）を支点として前面カバー３前方へ開閉自在に取付られ、前記吸込口４下方から前面カバー３底面には横長の吹出口６を設け、また前面カバー３上面には前記吸込口４で不足する開口面積を補うために上部吸込口７を設けている。前記吸込口４・７の内側には横長で多段に屈曲されたフィンチューブ式の室内熱交換器８を設け、この熱交換器８の後部にはクロスフロー式の室内送風ファン９を配置している。この送風ファン９は通常運転時約７５０〜１，１００ｒｐｍの早さで回転し、前記吸込口４・７から室内空気を吸い込み吹出口６より熱交換された空気を吹き出すものである。前記室内熱交換器８の下方には樹脂の発泡材で一体成形されたドレーン皿１０を設け、結露水を受けると共に前記ファン９の送風を吹出口６へ導くエアーガイドの機能を兼ねるものである。
【０００９】
１１は前記室内熱交換器８の銅管等に取り付けられ室内熱交換器８の温度（熱交温度Ｔ２）を検出する室内熱交センサ１４で、室内熱交換器８や熱交換器内を流れる冷媒の温度を検出する。１２は前記吸込口４と熱交換器８の間の送風経路に設けられ室内の吸込空気の温度（室温Ｔ１）を検知する室温センサ。１３は前記室内送風ファン９を回転駆動する室内送風モータ。
【００１０】
１４は前記室内機１に赤外線信号等のワイヤレス通信で運転信号を送信するリモコンで、空気調和機の運転および停止を行う運転スイッチ１５と、上昇方向と下降方向が一対で室内側の冷房および暖房時の室温設定を行う温度設定スイッチ１６、および冷房、暖房、自動冷房、自動暖房、除湿等の運転モードを選択する運転モードスイッチ１７、吹出空気の方向を変更する風向変更スイッチ１８、おやすみタイマやおはようタイマ等のタイマ運転を行うタイマスイッチ１９、温度や運転モードを液晶パネル等で表示する表示部２０を設けている。前記風向変更スイッチ１８は押圧によって、吹出口６に備えた上下風向板２１を回動するルーバーモータ２２を駆動することで、吹出空気の上下方向を変更する。
【００１１】
２３は室内制御部で、前記リモコン１４で設定された冷房温度や運転信号が入ると、室内機１内に備えた送風経路の吸込側に位置する、室温センサ１２から送られてくる室温Ｔ１を読み込み、前記温度設定スイッチ１６で設定された設定室温Ｔ２と現在室温Ｔ２との温度差に応じて室内送風モータ１３の回転数を制御し、ルーバーモータ２２によって上下風向板２１の送風方向を制御し、室外機２４の室外制御部２５に運転条件信号を送る。
【００１２】
前記室外機２４内には圧縮機２６と四方弁２７、室外熱交換器２８、膨張弁２９を備え、前記室内機１の室内熱交換器８とを含めて冷媒配管で連通して冷凍回路３０を形成し、この冷凍回路３０内をフロン等の冷媒が循環して室温調整を行うものであり、冷房運転では図１の破線矢印で示すように、圧縮機２６、四方弁２７、室外熱交換器２８、膨張弁２９、室内熱交換器８、四方弁２７の方向で冷媒が循環することで、室内熱交換器８は低温になり室内送風ファン９で冷風を室内に吹き出すことで室内の冷房をするものであり、冷房運転時は室外熱交換器２８は高温になり、室外送風ファン３１によって外気へ熱を放出するものである。
【００１３】
３２は前記室外熱交換器２８の表面の温度を検知する室外熱交センサで、暖房運転時の除霜運転で使用する。３３は外気温センサで、室外機２４内の送風経路（図示せず）で室外送風ファン３１の上流側に取り付けられ外気温を検出するものである。
【００１４】
前記室外制御部２５は、室内制御部２３からの信号や外気温センサ３３の値等から、情報を得ながら圧縮機２６の運転周波数を決め、インバータ制御し、このインバータ制御はコンバータから出力される直流電力を、三相の交流電力に変換して圧縮機２６を駆動している。
【００１５】
図３のフローチャートによって、冷房自動運転時に於ける室内の温度むら防止機能について説明すれば、設定室温Ｔ２と現在室温Ｔ２との温度差に応じて室内送風モータ１３や圧縮機２６の回転速度を自動で変更する冷房自動運転中（ｓ１）で、第１所定時間である３０分以上が経過して空気調和機がある程度安定状態に有るかをステップ２で判定し、３０分未満であればステップ１に戻り、３０分以上であればステップ３に進む。
【００１６】
ステップ３では使用者が室内が暑いと感じてリモコン１４の操作部を操作して設定温度を下げたかを判定し、下げた場合にはステップ４にて室温センサ１２（Ｔ１）と熱交センサ１１（Ｔ２）を読込み、ステップ５にて室温と熱交温度の温度差が小さくて５℃以下（室温Ｔ１−熱交温度Ｔ２＜＝所定温度差Ｔ３）の場合には、室内機１の周囲のみに冷気が循環して使用者の所まで冷気が届かず室内で温度むらが発生していると判断し、ステップ６に進み、室温と熱交温度の温度差が５℃より大きい（室温Ｔ１−熱交温度Ｔ２＞所定温度差Ｔ３）の場合には、冷房自動運転に戻って、使用者が設定温度を下げたのは、温度むらが原因ではないと判断し、ステップ１に戻って通常の自動運転による運転制御を継続する。
【００１７】
ステップ６では室内の温度むらを解消するために、室内送風ファン９の風量を最大にすると共に、上下風向板２１のスイングを第２所定時間である３０秒間行い（ｓ７）、ステップ８で上下風向板２１のスイングを停止して元の吹出角度へ戻し、室内送風ファン９の風量も自動運転の風量に戻してステップ９に進む。
【００１８】
ステップ９ではステップ８からの経過時間が第３所定時間である１５分以内に使用者が設定温度を再度低下する操作をしたかを判断し、Ｙｅｓの場合にはＡを通過してステップ１１に、操作をせずに１５分が経過した時には、Ｎｏでステップ１０にて室温と熱交温度の温度差が５℃以下であるかを再度判定し、Ｙｅｓの場合はまだ温度むらの解消度合いが小さいと判断しステップ６に戻ってファン風量を最大でスイング運転を３０秒行う、Ｎｏの場合は温度むらは解消しているのでステップ１の通常の自動運転に戻る。
【００１９】
ステップ１１では第６所定時間を計測するためのタイマＸをスタートし、ステップ１２にて、室内送風ファン９の風量を最大にすると共に、上下風向板２１のスイングを第４所定時間である１分間行う。（ｓ１３）
【００２０】
ステップ１４と１５では、第５所定時間である３０秒間上下風向板２１のスイングを停止して元の吹出角度へ戻し、室内送風ファン９の風量も自動運転の風量に戻してステップ１６に進み、第６所定時間である１０分間が経過するまで繰り返し実施される。
【００２１】
ステップ１７では室温と熱交温度の温度差が５℃より大きい（室温Ｔ１−熱交温度Ｔ２＞所定温度差Ｔ３）くなるか、又は使用者がリモコン１４を操作して設定温度を上昇させたかを判断し、Ｙｅｓの場合は温度むらが解消されたので冷房自動運転に戻り（ｓ１８）、Ｎｏの場合にはステップ１２に戻って再度の送風ファン９の風量の最大と上下風向板２１のスイング運転を繰り返すものである。
【００２２】
このように、使用者のリモコン１４による設定温度を低下する操作をきっかけとして、室温の温度むらを検知して、温度むらが解消されるまで繰り返し送風ファン９の風量の最大と上下風向板２１のスイング運転を行うことで、確実で高度に室内の温度むらを解消することができる。
また、使用者のリモコン操作をきっかけに室内ファン９風量や上下風向板２１の作動を行うので、送風音等の騒音の増大で使用者に故障等の無用な心配をさせるようなことを防止できる。
【符号の説明】
【００２３】
１  室内機
９  室内送風ファン
１１  室内熱交センサ
１２  室温センサ
１３  室内送風モータ
１４  リモコン
２１  上下風向板
２３  室内制御部
【図１】
2015087029.tif 000003
【図２】
2015087029.tif 000004
【図３】
2015087029.tif 000005